(57)【特許請求の範囲】
【請求項１】
複数の計測項目を常時計測し、前記計測項目を随時選択してその計測値を表示させる計測表示装置において、
前記計測値を記憶する手段と、
前記記憶された計測値を表示する表示器と、
操作する毎に表示される計測値の項目を順次切り替える第１押ボタンと、
計測値が常時表示される常時表示計測項目を書き込んだ書換え可能な不揮発性の記憶手段と、
前記常時表示計測項目を変更する第２押ボタンと、
所定の操作が第1の所定の時間行われないとき表示される計測値の項目を前記常時表示計測項目に切り替える手段と、
任意の計測項目の計測値が表示されている状態で前記第２押ボタンが第２の所定の時間以上押され続けたとき、前記不揮発性の記憶手段に記憶された前記常時表示計測項目を該任意の計測項目に書き替える手段と、
を有することを特徴とする計測表示手段。
【発明の詳細な説明】
【０００１】
【発明の属する技術分野】
この発明は、電流、電圧、電力などの計測値を押ボタンを操作することによって切替表示することができるマルチ型の計測表示装置に関する。
【０００２】
【従来の技術】
電流、電圧、電力、力率など各種の計測値を、必要に応じて押ボタンを押して一つの表示装置上に切替表示するマルチ表示機能を持つ計測装置がある。このような計測装置、特に配電盤などに取り付けられるマルチ型の計測表示装置は切換えて表示させる頻度が少ないため、スペースやコストを考慮して、できるだけ押ボタンを少なくして、一つの押し釦に複数の選択機能を持たせる事が多い。
【０００３】
また、このような配電盤などに使用されるマルチ型の計測表示装置は、常時は所定の表示項目（以下、常時表示計測項目という。）を表示させ、必要に応じてオペレータが表示項目を切り替えて必要な計測値を読みとるように使われることが多い。従来のこの種の計測表示装置には、切替用のボタンを押すたびに表示項目が順次切り替わり、ボタンを押さないかぎり所定の時間その表示項目の表示を続け、この所定の時間を経過すると、自動的に常時表示計測項目を表示するようになっているものがある。
【０００４】
【発明が解決しようとする課題】
従来のマルチ型の計測表示装置は、常時表示計測項目が制作時に決定される固定的なものであったため、オペレータが別の項目を常時表示計測項目に変更したくても不可能であった。
【０００５】
したがって、この発明は、常時表示計測項目を自由に変更できる計測表示装置を提供することにある。
【０００６】
【課題を解決するための手段】
上記の課題を解決するために、本発明は、複数の計測項目を常時計測し、計測項目を随時選択してその計測値を表示させる計測表示装置において、計測値を記憶する手段と、記憶された計測値を表示する表示器と、操作する毎に表示される計測値の項目を順次切り替える第１押ボタンと、計測値が常時表示される常時表示計測項目を書き込んだ書換え可能な不揮発性の記憶手段と、常時表示計測項目を変更する第２押ボタンと、所定の操作が第1の所定の時間行われないとき表示される計測値の項目を常時表示計測項目に切り替える手段と、任意の計測項目の計測値が表示されている状態で第２押ボタンが第２の所定の時間以上押され続けたとき、不揮発性の記憶手段に記憶された常時表示計測項目を該任意の計測項目に書き替える手段と、を備えることとしている。
【０００７】
このような構成により、第１押ボタンを操作することによって表示する計測値の計測項目を切り替えることができ、所定の操作が第1の所定時間以上行われない状態が続けば、予め設定しておいた常時表示計測項目の計測値が自動的に表示される。また、任意の計測項目の計測値が表示されている状態で第２ボタンを第２の所定の時間以上押し続けると、常時表示計測項目をその任意の計測項目に変えることができる。
【０００８】
【発明の実施の形態】
本発明の実施の形態を、図１ないし図３に示される実施例において説明する。
図1は本実施例のハードウエア構成図を示しており、電力路に設けられた変流器1及び変圧器２から得られた電流信号及び電圧信号を整流する電流信号変換回路３及び電圧信号変換回路４、電流信号変換回路３及び電圧信号変換回路４において変換された信号を入力するＣＰＵ５、後述する常時表示計測項目を書き込んだ不揮発性のＥＥＰＲＯＭ６、後述するＣＰＵ５において記憶された各種計測値を選択的に表示する７セグメントの数値表示器７と表示されている計測項目を表示する項目表示ＬＥＤ８、４つの押ボタン９、１０、１１、１２、この装置を動作させるための安定化電源装置１３、及び本発明に直接関係がないためその説明を省略するが計測値を他の装置に伝送するための伝送信号インターフェース１４とを備えている。
【０００９】
この計測表示装置は、電力路の▲１▼電流値、▲２▼電圧値、▲３▼瞬時電力値、▲４▼積算電力値、▲５▼力率値を表示できるものであって、押ボタン９は１回押すたびに▲１▼→▲２▼・・→▲５▼→▲１▼→▲２▼・・・の順に表示項目が切り替え、ボタン１０は１回押すたびに逆に▲１▼→▲５▼→▲４▼→・・→▲１▼→▲５▼→▲４▼→・・と切り替えるという機能などを有している。（押ボタン９と１０は同じ機能を有する第１押ボタンである。）また、押ボタン１１は、表示項目が電流値の場合はこのボタンを１回押すたびに三相の電力路（Ａ相・Ｂ相・Ｃ相）の相を順次切り替え表示するという機能と、表示項目が積算電力の場合は所定の時間（Ｔ３）以上押すと表示値を零に戻すリセット処理に移行させるという機能などを有している。さらに、押ボタン１２は、前述の積算電力のリセット処理を中止させるという機能のほかに、現在表示している任意の表示項目を後述する常時表示計測項目に切り替えたり、常時表示計測項目を変更するという機能を有している。
【００１０】
前述の常時表示計測項目はＥＥＰＲＯＭ６に予め記憶されている表示項目であって、押ボタン９，１０，１１、１２のいずれのボタンも第１の所定時間（Ｔ１）全く操作されなかったとき、自動的に常時表示計測項目の計測値が表示されるようになる。この常時表示計測項目は以下のように所望の項目に変更することができる。すなわち、押ボタン９又は１０を操作して所望の表示項目の計測値を表示させ、表示しているいる間に押ボタン１２（第２押ボタン）を第２の所定時間（Ｔ２）以上押すとＥＥＰＲＯＭに書き込まれている表示項目を所望の表示項目に書き替えることができる。
【００１１】
図２ないし図４は、この装置のＣＰＵ５において行われる動作フロー図であり、これらの図によってこの装置の動作を説明する。このＣＰＵ５は、主として図２に示されるメインのタスクと図３に示されるボタン操作処理タスクの２つを同時にかつ非同期で行っている。
【００１２】
図３において、ボタンの操作状況を監視するタスクループは、順次、押ボタン９又は１０（以下、押ボタン９で説明する。）が押されたかを確認し（Ｓ３−１）、押ボタン１１が押されたかどうかを確認し（Ｓ３−２）、押ボタン１２が押されたかを確認し（Ｓ３−３）、第１の所定時間（Ｔ１）いずれの押ボタンもされなかったかを確認し（Ｓ３−４）し（Ｓ３−１）に戻るというループを繰り返す。
【００１３】
この図３のループにおいて、（Ｓ３−１）で押ボタン９が押されたときはボタンが離されるまで待って「押ボタン９のイベント発生」の情報をＣＰＵ５のＲＡＭに格納し、（Ｓ３−２）で押ボタン１１が押されたときは押されている時間を計測し所定の時間（Ｔ３）以上のときは「押ボタン１１／Ｔ３のイベント発生」の情報を、所定の時間（Ｔ３）未満のときは「押ボタン１１のイベント発生」の情報をＣＰＵ５のＲＡＭに格納する。さらに、（Ｓ３−３）で押ボタン１２が押されたときは押されている時間を計測し所定の時間（Ｔ２）以上のときは「押ボタン１２／Ｔ２のイベント発生」の情報を、所定の時間（Ｔ２）未満のときは「押ボタン１２のイベント発生」の情報をＣＰＵ５のＲＡＭに格納し、（Ｓ３−４）で第１の所定時間（Ｔ１）いずれの押ボタンもされなかった場合は「無操作のイベント発生」の情報をＣＰＵ５のＲＡＭに格納する。
【００１４】
図２において、メインのタスクループは、初期化処理においてＥＥＰＲＯＭに書き込まれている常時表示計測項目を読み取り、電流信号変換回路３及び電圧信号変換回路４からそれぞれの信号を入力し（Ｓ２−１）、入力した電流信号及び電圧信号から瞬時電力値、積算電力値、力率を演算して電流値及び電圧値と共に、必要に応じてそれらの値を実効値に演算したのち、記憶し（Ｓ２−２）、指定の表示項目の計測値（初期表示値は、常時表示計測項目の計測値。）を表示し（Ｓ２−３）、ＲＡＭから図３で説明したボタンの操作によるイベント情報を取得（Ｓ２−４）する。
【００１５】
そして、「押ボタン９のイベント発生」の情報の有無を確認して（Ｓ２−５）、有れば指示にしたがって表示項目を変更する。次に、「押ボタン１１のイベント発生」の情報の有無を確認して（Ｓ２−６）、情報が有り表示項目が電流値であるならば指示にしたがって相を変更する。次に、「押ボタン１１／Ｔ３のイベント発生」の情報の有無を確認して（Ｓ２−７）、情報が有り表示項目が積算電力値であればそのリセット処理に移行する。次に、「押ボタン１２のイベント発生」の情報の有無を確認し（Ｓ２−８）、有れば現在の表示項目を常時表示計測項目に変更する。次に、「押ボタン１２／Ｔ２のイベント発生」の情報の有無を確認し（Ｓ２−９）、有れば現在表示している表示項目を常時表示計測項目としてＲＡＭに記憶させると共にＥＥＰＲＯＭに書き込む。次に、「無操作のイベント発生」の情報の有無を確認し（Ｓ２−１０）、有れば現在の表示項目を常時表示計測項目に変更し、（Ｓ２−１）に戻るというループを繰り返す。
【００１６】
上記に、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００１７】
【発明の効果】
本発明は、以上に説明したように構成されているので、複数の計測項目の計測値を随時選択して表示させる計測表示装置の、表示項目の切替操作などが一定時間行われないとき表示項目があらかじめ設定された常時表示計測項目に自動的に切り替わる機能を持つものにおいて、常時表示計測項目を自由に変更できるためオペレータの作業性がよくなるという効果を奏する。また、動作電源が一旦喪失したのち再度供給されても、電源喪失直前に選択されていた表示項目の計測値が表示されるため、オペレータによる誤認を防ぐことができる。
【図面の簡単な説明】
【図１】この発明による計測表示装置の実施例のハードウエアー構成図である。
【図２】図１の実施例のフローチャート図である。
【図３】図１の実施例の他のフローチャート図である。
【符号の説明】
３ 電流信号変換回路
４ 電圧信号変換回路
５ ＣＰＵ
６ ＥＥＰＲＯＭ
数値表示器
９、１０、１１、１２ 押ボタン
【図１】
0004275271.tif 000002
【図２】
0004275271.tif 000003
【図３】
0004275271.tif 000004